(57)【要約】  本発明は、複数の粒状成分を含む粒状形態の固体洗濯洗剤組成物に関し、かかる組成物は、（ｉ）アルキルベンゼンスルホネート、（ｉｉ）水和性物質、（ｉｉｉ）組成物の０重量％〜５重量％未満のゼオライトビルダー、（ｉｖ）組成物の０重量％〜５重量％未満のリン酸塩ビルダー、および（ｖ）所望により組成物の０重量％〜５重量％未満のケイ酸塩を含み、組成物の少なくとも３０重量％の組成物中に存在する粒状成分は、粒状成分の少なくとも１５重量％の水和性物質を含み、かつ粒状成分の少なくとも５重量％のアルキルベンゼンスルホネートを含む粒状成分は、粒状成分の少なくとも１５重量％の水和性物質をも含む。【特許請求の範囲】
【請求項１】
複数の粒状成分を含む粒状形態の固体洗濯洗剤組成物であって、
（ｉ）アルキルベンゼンスルホネート、
（ｉｉ）水和性物質、
（ｉｉｉ）前記組成物の０重量％〜５重量％未満のゼオライトビルダー、
（ｉｖ）前記組成物の０重量％〜５重量％未満のリン酸塩ビルダー、および
（ｖ）所望により前記組成物の０重量％〜５重量％未満のケイ酸塩
を含み、
前記組成物の少なくとも３０重量％の前記組成物中に存在する粒状成分が、前記粒状成分の少なくとも１５重量％の水和性物質を含み、かつ
前記粒状成分の少なくとも５重量％のアルキルベンゼンスルホネートを含む粒状成分のいずれかが、前記粒状成分の少なくとも１５重量％の前記水和性物質をも含む、固体洗濯洗剤組成物。
【請求項２】
前記組成物の少なくとも６０重量％の前記組成物中に存在する粒状成分が、前記粒状成分の少なくとも２０重量％の前記水和性物質を含む、請求項１に記載の組成物。
【請求項３】
前記粒状成分の少なくとも５重量％のアルキルベンゼンスルホネートを含む粒状成分のいずれかが、前記粒状成分の少なくとも２０重量％の前記水和性物質をも含む、請求項１または２に記載の組成物。
【請求項４】
前記水和性物質が炭酸ナトリウムおよび／または硫酸マグネシウムを含む、請求項１〜３のいずれか１項に記載の組成物。
【請求項５】
前記組成物が、ゼオライトビルダー、リン酸塩ビルダー、および所望のケイ酸塩を本質的に含まない、請求項１〜４のいずれか１項に記載の組成物。
【請求項６】
前記組成物が、平均アルコキシル化度が１〜２０である、直鎖または分枝鎖、置換または非置換のＣ８〜１８アルキルアルコキシル化スルフェートを含む、請求項１〜５のいずれか１項に記載の組成物。
【請求項７】
前記組成物が、前記組成物の１重量％〜７０重量％未満の前記水和性物質を含む、請求項１〜６のいずれか１項に記載の組成物。
【発明の詳細な説明】
【技術分野】
【０００１】
本発明は、アルキルベンゼンスルホネートおよび水和性物質を含む低ビルダー（under-built）高溶解性顆粒状洗濯洗剤組成物に関する。本発明の組成物は、良好なクリーニング性能、良好な製品分配および溶解特性、さらに良好な物理的特性を有する。
【背景技術】
【０００２】
顆粒状洗濯洗剤の分配および溶解性を著しく改善する試みは、多くの洗剤製造業者により比較的最近に行われている。多くの洗剤製造業者が着目してきた方法は、ゼオライトビルダーなどの非水溶性ビルダーの顆粒状洗濯洗剤処方中濃度を著しく減少させる方法、もしくはそれらビルダーを顆粒状洗濯洗剤処方から完全に除去する方法である。しかし、多くの国でリン酸塩の使用を避ける法規があり、洗剤製造業者は十分量のトリポリリン酸ナトリウムなどリン酸塩系水溶性ビルダーを顆粒状洗濯洗剤類に組み込むことができず、洗剤製造業者が使用可能な代替非リン酸塩系水溶性ビルダーがないため、多くの洗剤製造業者が着目してきた方法は、ゼオライト系ビルダー系を同等程度のビルダー性能を有する水溶性ビルダー系に完全に置き換えないで、低ビルダーの（under-built）顆粒状洗濯洗剤組成物を配合するものである。
【０００３】
この低ビルダー（under-built）による方法が顆粒状洗濯洗剤の溶解および分配性を著しく向上する一方で、顆粒状洗濯洗剤組成物のビルダー系で、洗濯プロセス中に洗浄溶液から除去されないカルシウムなどのカチオン類の量が著しいという問題が存在する。アニオン性洗浄界面活性剤が溶液内で沈殿の原因となり、それによりアニオン性洗浄界面活性剤活性とクリーニング性能の低下を引き起こすように、これらカチオン類は顆粒状洗濯洗剤組成物のアニオン性洗浄界面活性剤系の妨げとなる。極端な場合は、これらの非水溶性錯体が布地に付着して、その結果、白色度の維持を低下させて、布地一体性効果（fabric integrity benefits）を低下させる場合がある。このことは、高濃度のカルシウムカチオン類が存在するときに、硬水洗浄条件で洗濯洗剤を使用する場合に、特に問題となる。
【０００４】
ゼオライトなどの非水溶性ビルダー類の濃度が組成物中できわめて低い場合、またはゼオライトが処方から完全に除かれる場合に克服すべきその他の問題点は、特に保存後の組成物の物理的特性が劣化し、ケーキ強度の劣化を引き起こすことである。
【０００５】
低ビルダーの（under-built）洗剤組成物類のクリーニング性能および物理的特性が、アルキルベンゼンスルホネートに対して水和性物質を低ビルダー（under-built）洗剤組成物内に組み込む位置、およびその量を慎重に制御することにより、向上することを発明者らは見出した。
【０００６】
カー（Carr）ら（チャーチ・アンド・ドワイト社（Church & Dwight Co. Inc.））による米国特許ＵＳ５，５５２，０７８号は、界面活性剤、少なくとも７０重量％の水溶性アルカリ炭酸塩、例えば炭酸ナトリウム、０．１重量％〜２重量％のリン酸塩ビルダー、例えばトリポリリン酸ナトリウム、０．１重量％〜２重量％のカルボキシレートポリマー、１重量％〜１２重量％の水を含む粉末洗濯洗剤組成物に関する。米国特許ＵＳ５，５５２，０７８号の組成物は、優れた布地洗浄および漂白作用を発揮する一方で、組成物中に相当量のリン酸塩ビルダーが存在する際に起こる富栄養化の問題を回避し、組成物が大量の炭酸塩ビルダーを含む際に起こることが多い、布地エンクラステーションの問題を最小化するとされている。しかし、米国特許ＵＳ５，５５２，０７８号には、組成物内の個々の粒状の構成について詳細が記載されておらず、また米国特許ＵＳ５，５５２，０７８号により例示される洗剤組成物は、水和性物質およびアルキルベンゼンスルホネートを含まない。
【０００７】
マッツォーラ（Mazzola）（チャーチ・アンド・ドワイト社（Church & Dwight Co. Inc.））による米国特許ＵＳ６，２７４，５４５Ｂ１号は、高濃度炭酸塩、低濃度リン酸塩の粉末洗濯洗剤処方に関し、これによると、洗浄溶液中での溶け残り洗剤残留物を最低限にすることで、冷水での布地洗濯に利用できる。米国特許ＵＳ６，２７４，５４５Ｂ１号の洗剤組成物は、部分的に硫酸化および中和されたエトキシ化アルコール界面活性剤であるアニオン性／非イオン性界面活性剤の混合物とポリエチレングリコール成分を含み、洗濯洗剤固形物の洗浄溶液への溶解度が上がるとされている。しかし、米国特許ＵＳ６，２７４，５４５Ｂ１号には、アルキルベンゼンスルホネートなどの成分を、所望の水和性物質に対してどのように組成物内に組み込むのかについて詳細が記載されておらず、また米国特許ＵＳ６，２７４，５４５Ｂ１号により例示される洗剤組成物は、水和性物質およびアルキルベンゼンスルホネートを含まない。
【０００８】
アスキュー（Askew）ら（プロクター・アンド・ギャンブル社（The Procter & Gamble Company））による国際公開特許ＷＯ９７／４３３６６号は、発泡系を含む洗剤組成物に関する。国際公開特許ＷＯ９７／４３３６６号では、炭酸塩をビルダーとする無漂白剤洗剤組成物が例示される。しかし、国際公開特許ＷＯ９７／４３３６６号には、界面活性剤および水和性物質などの成分を、どのように組成物内に組み込むのかについて詳細が記載されていない。
【０００９】
ハーツホーン（Hartshorn）ら（プロクター・アンド・ギャンブル社（The Procter & Gamble Company））による国際公開特許ＷＯ００／１８８７３号は、良好な分配性を有し、洗濯プロセス後に布地上に残留物を残さないとされる洗剤組成物に関する。
【００１０】
ハーツホーン（Hartshorn）ら（プロクター・アンド・ギャンブル社（The Procter & Gamble Company））による国際公開特許ＷＯ００／１８８５９号は、洗濯プロセス中の洗浄溶液内への成分供給を向上させたとされる洗剤組成物に関する。国際公開特許ＷＯ００／１８８５９号の組成物は、水との接触により容易にゲル化しないとされ、洗濯プロセス後に布地上に非水溶性残留物を残さないとされている。国際公開特許ＷＯ００／１８８５９号の組成物は、界面活性剤系と完全に混和する水溶性ビルダー系を主に含む。
【発明の開示】
【発明が解決しようとする課題】
【００１１】
ファン・デル・フーフェン（Van der Hoeven）ら（ヒンドスタン・リーバ社（Hindustain Lever Limited））による国際公開特許ＷＯ０２／０５３６９１号は、１０重量％を超えるカルシウム抵抗性界面活性剤、０．１重量％〜１０重量％のリン酸塩ビルダー類および／またはゼオライトビルダー類から選択される強力なビルダー系、および３５重量％未満の非官能性非アルカリ性水溶性無機塩類を含む洗濯洗剤組成物に関する。しかし、国際公開特許ＷＯ０２／０５３６９１号には、界面活性剤および水和性物質などの成分を、どのように組成物内に組み込むのかについて詳細が記載されていない。
【課題を解決するための手段】
【００１２】
本発明は、複数の粒状成分を含む粒状形態の固体洗濯洗剤組成物を提供し、かかる組成物は、（ｉ）アルキルベンゼンスルホネート、（ｉｉ）水和性物質、（ｉｉｉ）組成物の０重量％〜５重量％未満のゼオライトビルダー、（ｉｖ）組成物の０重量％〜５重量％未満のリン酸塩ビルダー、および（ｖ）所望により組成物の０重量％〜５重量％未満のケイ酸塩を含み、好ましくは、組成物の少なくとも３０重量％の組成物中に存在する粒状成分は、粒状成分の少なくとも１５重量％の水和性物質を含み、および好ましくは、粒状成分の少なくとも５重量％のアルキルベンゼンスルホネートを含む粒状成分は、粒状成分の少なくとも１５重量％の水和性物質をも含む。
【発明を実施するための最良の形態】
【００１３】
固体洗濯洗剤組成物
組成物は、アルキルベンゼンスルホネート、水和性物質、組成物の０重量％〜５重量％未満のゼオライトビルダー、組成物の０重量％〜５重量％未満のリン酸塩ビルダー、および所望により組成物の０重量％〜５重量％未満のケイ酸塩を含む。前記組成物は、その他補助成分を含んでもよい。
【００１４】
組成物は、凝集、噴霧乾燥された粉末、押出品、フレーク、針状物、麺状物、ビーズ、あるいはこれらのいずれかの組み合わせなどの粒状形態である。組成物は、錠剤状などの圧縮粒状形態としてもよい。組成物は、小袋形態などその他１回量形態としてもよく、通常は、少なくとも部分的には、好ましくは、基本的に完全には、ポリビニルアルコールなどの水溶性フィルムに封入される。好ましくは、組成物は自由流動性微粒状形態であり、自由流動性微粒状形態とは、一般に組成物が別々の離散粒状であることを意味する。前記組成物は、アグロメレーション、噴霧乾燥、押出成形、混合、乾燥混合、液体噴霧方式、ローラー圧縮、球形化、錠剤化、またはこれらのいずれかの組み合わせを包含するいかなる好適な方法で作製されてよい。
【００１５】
前記組成物は、典型的には、４５０ｇ／ｌ〜１，０００ｇ／ｌのバルク密度を有し、好ましい低バルク密度の洗剤組成物は、５５０ｇ／ｌ〜６５０ｇ／ｌのバルク密度を有し、好ましい高バルク密度の洗剤組成物は、７５０ｇ／ｌ〜９００ｇ／ｌのバルク密度を有する。洗濯プロセス中、前記組成物は典型的には水と接触して、７超〜１３未満、好ましくは、７超〜１０．５未満のｐＨを有する洗浄溶液を与える。これは、良好な洗浄を付与すると同時に、良好な布地ケア特性をも確実にするための最適ｐＨである。
【００１６】
組成物は、複数の粒状成分を含む。好ましい実施形態では、組成物の少なくとも３０重量％の組成物中に存在する粒状成分は、粒状成分の少なくとも１５重量％の水和性物質を含む。好ましくは、組成物の少なくとも３５重量％、または少なくとも４０重量％、または少なくとも４５重量％、または少なくとも５０重量％、または少なくとも５５重量％、または少なくとも６０重量％、または更に少なくとも６５重量％の組成物中に存在する粒状成分は、粒状成分の少なくとも１７重量％、または少なくとも２０重量％、または少なくとも２２重量％、または少なくとも２５重量％の水和性物質を含む。これら、組成物中の水和性物質の量および組み込み特性により、組成物の良好なクリーニング性能と、特に保存後の良好なケーキ強度など良好な物理学的特性が確保される。
【００１７】
好ましい実施形態では、粒状成分の少なくとも５重量％、または好ましくは、少なくとも１０重量％、または更に少なくとも１５重量％のアルキルベンゼンスルホネートを含む所望の粒状成分は、粒状成分の少なくとも１０重量％、または少なくとも１５重量％、または少なくとも２０重量％、または更に少なくとも２５重量％の水和性物質をも含む。これら、組成物中の水和性物質の量および組み込み特性により、組成物の良好なクリーニング性能と、特に保存後の良好なケーキ強度など良好な物理的特性が確保される。
【００１８】
前記組成物は、典型的には、３５℃の温度で測定するとき、０％〜３０％未満、好ましくは、０％〜２０％の平衡相対湿度を有する。一般には、平衡相対湿度は以下のように求められる。組成物３００ｇを水不透過性材料製の１リットル容器にとり、容器に密封可能な蓋をする。蓋には、プローブを容器内部へ挿入できるように適合した、密封可能な孔が設けられている。容器とその内容物を３５℃の温度で２４時間保持して、温度を平衡させる。ソリッドステート湿度計（英国ハプシャー（Hapshire）のテストターム社（Testoterm Ltd）から販売されているハイグロテスト（Hygrotest）６１００）を用いて、水蒸気圧を測定する。これは、容器の蓋の密封可能な孔から容器内部にプローブを挿入して、ヘッドスペースの水蒸気圧を測定することによって行われる。これらの測定は、水蒸気圧が平衡するまで１０分間隔で行う。その後、プローブが自動的に水蒸気圧を平衡相対湿度値に変換する。
【００１９】
好ましくは、前記組成物は、９．２ｇ／ｌの濃度および２０℃の温度で水と接触すると、（ｉ）５００比濁計濁度単位未満の濁度、および（ｉｉ）８〜１２の範囲のｐＨを有する透明な洗浄溶液を形成する。好ましくは、その結果として得られる洗浄溶液の濁度は、４００比濁計濁度単位未満、または３００比濁計濁度単位未満、または１０〜３００比濁計濁度単位である。洗浄溶液の濁度は、典型的に、Ｈ１  ９３７０３マイクロプロセッサー濁度計を用いて測定される。洗浄溶液の濁度を測定するための典型的な方法は以下の通りである：組成物９．２ｇをビーカー内の１リットルの水に加えて溶液を形成する。この溶液を、２０℃において６２．８ｒａｄ／ｓ（６００ｒｐｍ）で５分間攪拌する。この溶液の濁度を、次に、製造者の指示に従ってＨ１  ９３７０３マイクロプロセッサー濁度計を用いて測定する。
【００２０】
アルキルベンゼンスルホネート
組成物はアルキルベンゼンスルホネートを含む。好ましくは、アルキルベンゼンスルホネートは直鎖または分枝鎖、置換または非置換のＣ８〜２４アルキルベンゼンスルホネートである。好ましくは、組成物は、組成物の０．１重量％から、または１重量％から、または２．５重量％から、または５重量％から、または７．５重量％から、または１０重量％から５０重量％まで、または４０重量％まで、または３０重量％まで、または２０重量％までのアルキルベンゼンスルホネートを含む。これは良好なクリーニング性能を提供するための、アルキルベンゼンスルホネートの最適量である。アルキルベンゼンスルホネートは、ＷＯ９９／０５２４３、ＷＯ９９／０５２４２、ＷＯ９９／０５２４４、ＷＯ９９／０５０８２、ＷＯ９９／０５０８４、ＷＯ９９／０５２４１、ＷＯ９９／０７６５６、ＷＯ００／２３５４９、およびＷＯ００／２３５４８により詳細が記載される、修正されたアルキルベンゼンスルホネート（ＭＬＡＳ）としてもよい。極めて好ましいアルキルベンゼンスルホネート類は、直鎖Ｃ１０〜１３アルキルベンゼンスルホネート類である。特に好ましいのは、市販の直鎖アルキルベンゼン類（ＬＡＢ）をスルホン化することにより得ることができ、好ましくは、スルホン化することにより得られる、直鎖Ｃ１０〜１３アルキルベンゼンスルホネート類であり、好適なＬＡＢ類には、サソール社（Sasol）からイソケム（Isochem）（登録商標）の商標名またはペトレサ社（Petresa）からペトレラボ（Petrelab）（登録商標）の商標名で販売されているような低級２−フェニルＬＡＢを含み、他の好適なＬＡＢ類には、サゾール社（Sasol）からハイブリーン（Hyblene）（登録商標）の商標名で販売されているような高級２−フェニルＬＡＢを含む。
【００２１】
アルキルベンゼンスルホネートは、典型的には凝集、噴霧乾燥された粉末、押出品、ビーズ、麺状物、針状物またはフレークなどの粒状形態である。アルキルベンゼンスルホネートの一部が、噴霧乾燥粉末（例えば、吹き飛ばされた粉末）の形態であり、前記Ｃ８〜２４アルキルベンゼンスルホネートの一部が、非噴霧乾燥粉末（例えば、凝集体、または押出品、または直鎖アルキルベンゼンスルホネートフレークのようなフレーク；好適な直鎖アルキルベンゼンスルホネートフレークは、パイロットケミカル社（Pilot Chemical）から商標名Ｆ９０（登録商標）で、またはステパン（Stepan）から商標名ナコノール９０Ｇ（Nacconol 90G）（登録商標）で販売されている）の形態であることが好ましいことがある。このことは、高濃度のアルキルベンゼンスルホネートを前記組成物中に組み込むのが望ましい場合に、特に好ましい。
【００２２】
水和性物質
組成物は水和性物質を含む。好ましくは、組成物は、組成物の少なくとも１０重量％、または少なくとも２０重量％、または少なくとも３０重量％で、７０重量％未満、または更に６０％重量未満の水和性物質を含む。
【００２３】
水和性物質は一般に、１．００を超える、好ましくは、１．０１を超える、または１．０２を超える、または１．０３を超える、または１．０４を超える、または１．０５を超える、または１．０６を超える、または１．０７を超える、または１．０８を超える、または１．０９を超える、または１．１０を超える、または１．１１を超える、または１．１２を超える、または１．１３を超える、または１．１４を超える、または１．１５を超える水和指数を有する。
【００２４】
水和指数は一般には以下の手順で求められる。（ｉ）無水状の水和性物質１００ｇを、２０ｃｍ×３０ｃｍの長方形状トレー上に均一に広げ、２５℃、相対湿度８０％の恒湿チャンバ内で、水和性物質の質量が平衡に達するまで放置する。（ｉｉ）次いで水和性物質を、２５℃、相対湿度３０％の恒湿チャンバ内で、水和性物質の質量が平衡に達するまで放置する。（ｉｉｉ）次に、水和性物質の重量を記録する。水和指数は一般に、手順（ｉｉｉ）で算出した水和性物質のグラム重量／１００ｇ以下で求められる。
【００２５】
好ましくは、水和性物質は、炭酸ナトリウムおよび／または硫酸マグネシウムなどの塩である。一般には、水和性物質は硫酸ナトリウムではない。
【００２６】
ゼオライトビルダー
本組成物は、組成物の０重量％から５重量％未満、または４重量％まで、または３重量％まで、または２重量％まで、または１重量％のゼオライトビルダーを含む。前記組成物が、ゼオライトビルダーを本質的に含まないことが更に好ましい場合がある。ゼオライトビルダーを本質的に含まないとは、通常、前記組成物が、故意に添加されたゼオライトビルダーを含まないことを意味する。このことは、非水溶性残留物（例えば、これは布地表面に沈着することがある）の量を最少化するために、前記組成物が非常に溶解性が高いことが望ましい場合、また更には透明な洗浄溶液を有するのが極めて望ましい場合に、特に好ましい。ゼオライトビルダー類としては、ゼオライトＡ、ゼオライトＸ、ゼオライトＰおよびゼオライトＭＡＰが挙げられる。
【００２７】
リン酸塩ビルダー
本組成物は、組成物の０重量％から５重量％未満、または４重量％まで、または３重量％まで、または２重量％まで、または１重量％のリン酸塩ビルダーを含む。前記組成物がリン酸塩ビルダーを本質的に含まないことが更に好ましい場合がある。リン酸塩ビルダーを本質的に含まないとは、前記組成物が、通常、故意に添加されたリン酸塩ビルダーを含まないことを意味する。このことは、前記組成物が極めて良好な環境プロファイルを有するのが望ましい場合に、特に好ましい。リン酸塩ビルダー類としては、トリポリリン酸ナトリウムが挙げられる。
【００２８】
ケイ酸塩
本組成物は、組成物の０重量％から５重量％未満、または４重量％まで、または３重量％まで、または２重量％まで、または１重量％のケイ酸塩を所望により含む。組成物は、５重量％以上のケイ酸塩量を含んでもよいが、好ましくは、組成物は、５重量％未満のケイ酸塩を含む。前記組成物がケイ酸塩を本質的に含まないことが更に好ましい場合がある。ケイ酸塩を本質的に含まないとは、一般に前記組成物が、故意に添加されたケイ酸塩を含まないことを意味する。このことは、前記組成物が非常に良好な分配および溶解特性を有することを確実にするため、および前記組成物が水に溶解されたときに透明な洗浄溶液を提供することを確実にするために、特に好ましい。ケイ酸塩類には、非水溶性ケイ酸塩類が包含される。ケイ酸塩類には、非晶質ケイ酸塩類および結晶性層状ケイ酸塩類（例えば、ＳＫＳ−６）が包含される。好ましいケイ酸塩は、ケイ酸ナトリウムである。
【００２９】
補助成分
前記組成物は、一般には補助成分を含む。これらの補助成分には以下のものが含まれる。非イオン性洗浄性界面活性剤類、カチオン性洗浄性界面活性剤類、双極性イオン性洗浄性界面活性剤類、両性洗浄性界面活性剤類などの洗浄性界面活性剤類；好ましいアニオン性洗浄界面活性剤類は、平均アルコキシル化度が１〜３０、好ましくは、１〜１０の直鎖または分枝鎖、置換または非置換のＣ１２〜１８アルキルアルコキシル化スルフェートなどのアルコキシル化アニオン性洗浄界面活性剤類、より好ましくは、平均エトキシル化度が１〜１０である直鎖または分枝鎖、置換または非置換のＣ１２〜１８アルキルエトキシ化スルフェート、最も好ましくは、平均エトキシル化度が３〜７である直鎖非置換のＣ１２〜１８アルキルエトキシ化スルフェートであり、その他好ましいアニオン性洗浄界面活性剤類は、アルキル硫酸塩類、アルキルスルホン酸塩類、アルキルリン酸塩類、アルキルホスホン酸塩類、アルキルカルボン酸塩類、またはこれらいずれかの混合物であり；好ましい非イオン性洗浄性界面活性剤類は、平均アルコキシル化度が１〜２０、好ましくは、３〜１０であるＣ８〜１８アルキルアルコキシル化アルコール類であり、最も好ましいのは、平均アルコキシル化度が３〜１０のＣ１２〜１８アルキルエトキシ化アルコール類であり；好ましいカチオン性洗浄性界面活性剤類は、モノＣ６〜１８アルキルモノヒドロキシエチルジメチル四級アンモニウム塩化物類であり、より好ましいのは、モノＣ８〜１０アルキルモノヒドロキシエチルジメチル四級アンモニウム塩化物、モノＣ１０〜１２アルキルモノヒドロキシエチルジメチル四級アンモニウム塩化物、およびモノＣ１０アルキルモノヒドロキシエチルジメチル四級アンモニウム塩化物である。過炭酸塩類および／または過ホウ酸塩類などの過酸素源として、好ましいのは過炭酸ナトリウムであり、過酸素源は、炭酸塩、硫酸塩、ケイ酸塩、ホウケイ酸塩、またはその混合塩を含むこれらの混合物などのコーティング成分により、好ましくは、少なくとも部分的にコーティングされ、好ましくは、完全にコーティングされる。テトラアセチルエチレンジアミンなどの漂白活性化剤、スルホン酸ノナノイルオキシベンゼンなどのスルホン酸オキシベンゼン漂白活性化剤類、カプロラクタム漂白活性化剤類、Ｎ−ノナノイル−Ｎ−メチルアセトアミドなどのイミド漂白活性化剤類、Ｎ，Ｎ−フタロイルアミノペルオキシカプロン酸、ノニルアミドペルオキシアジピン酸、または過酸化ジベンゾイルなどの予め形成された過酸類；アミラーゼ類、カルボヒドラーゼ類、セルラーゼ類、ラッカーゼ類、リパーゼ類、オキシダーゼ類、ペルオキシダーゼ類、プロテアーゼ類、ペクチン酸リアーゼ類、およびマンナナーゼ類などの酵素類；シリコーン系泡抑制剤類などの泡抑制システム類；蛍光増白剤類；光漂白剤；硫酸塩類などの充填剤塩類、好ましくは、硫酸ナトリウム；粘土、シリコーン、および／または四級アンモニウム化合物類などの布地柔軟化剤類；ポリエチレンオキシドなどの凝集剤類；ポリビニルピロリドン、ポリ４−ビニルピリジンＮ−オキシド、および／またはビニルピロリドンとビニルイミダゾールのコポリマーなどの移染防止剤類；疎水変性セルロース、およびイミダゾールとエピクロルヒドリンの縮合により生成するオリゴマー類などの布地一体性成分類；アルコキシル化ポリアミン類およびエトキシ化エチレンイミンポリマー類などの汚れ分散剤類および汚れ再付着防止助剤類；カルボキシメチルセルロースおよびポリエステル類などの再付着防止成分類；香料類；スルファミン酸またはその塩類；クエン酸およびその塩類；オレンジ色染料、青色染料、緑色染料、紫色染料、ピンク色染料、またはこれらいずれかの混合物などの染料類；マレイン酸とアクリル酸のコポリマーなどのカルボキシレートポリマー類。
【００３０】
好ましくは、前記組成物は、１重量％未満の塩素漂白剤および１重量％未満の臭素漂白剤を含む。好ましくは、前記組成物は、臭素漂白剤および塩素漂白剤を本質的に含まない。「本質的に含まない」とは、「故意に添加されたものを含まない」ことを通常意味する。
【実施例】
【００３１】
以下の固形洗濯洗剤組成物は、本発明に従ったものである：
【表１】
2009504836.tif 000002
【国際調査報告】
2009504836.tif 000003
2009504836.tif 000004
2009504836.tif 000005